(57)【要約】【課題】本発明は、セキュリティ性を向上させることができる個人識別装置を得ることを目的とするものである。【解決手段】制御部３は、顔画像カメラ１からの情報により、利用者の有無を監視する。また、制御部３は、顔画像カメラ１により取得された顔画像データの認証を行う顔画像認証手段４と、指紋センサ２により取得された指紋データの認証を行う指紋認証手段５と、顔画像カメラ１及び指紋センサ２の電源を制御する電源制御手段６とを有している。また、電源制御手段６は、顔画像カメラ１により利用者が検出されると、指紋センサ２に電力を供給する。即ち、指紋センサ２は、通常は電力の供給が遮断された状態で待機している。【選択図】図１
2006192011.tif 000002
【特許請求の範囲】
【請求項１】
利用者の顔画像を撮影するための顔画像カメラ、
利用者の指紋を読み取るための指紋センサ、及び
上記顔画像カメラ及び上記指紋センサを制御する制御部
を備え、
上記制御部は、上記顔画像カメラからの情報により利用者の有無を監視し、待機時には上記指紋センサへの電力の供給を休止するとともに、利用者が検出されると上記指紋センサに電力を供給することを特徴とする個人識別装置。
【請求項２】
利用者の顔画像を撮影するための顔画像カメラ、
利用者の指紋を読み取るための指紋センサ、及び
上記顔画像カメラにより取得された顔画像データの認証と、上記指紋センサにより取得された指紋データの認証とを行う制御部
を備え、
上記制御部は、顔画像データ及び指紋データの少なくともいずれか一方の認証結果が不適であると判断された場合、その利用者の顔画像データを認証動作後も保存することを特徴とする個人識別装置。
【請求項３】
利用者の顔画像を撮影するための顔画像カメラ、
利用者の指紋を読み取るための指紋センサ、及び
上記顔画像カメラ及び上記指紋センサを制御するとともに、対応する電気錠の異常の有無を監視する制御部
を備え、
上記制御部は、上記電気錠の異常が検出されると、上記顔画像カメラに撮影を行わせ、その画像データを保存することを特徴とする個人識別装置。
【請求項４】
利用者の顔画像を撮影するための顔画像カメラ、
利用者の指紋を読み取るための指紋センサ、及び
上記顔画像カメラ及び上記指紋センサを制御するとともに、対応する電気錠の状態を監視する制御部
を備え、
上記制御部は、上記電気錠の異常が検出されると、外部の管理装置へ異常検出信号を送信し、上記管理装置から撮影指令信号を受けると、上記顔画像カメラに撮影を行わせ、その画像データを上記管理装置へ送信することを特徴とする個人識別装置。
【請求項５】
利用者の指紋を撮影する指紋撮影部、
利用者の指が載置される載置面を有し、上記指紋撮影部の正面の指紋センシング位置と、上記指紋撮影部の正面から外れた監視カメラモード位置との間で変位可能なプリズム、及び
上記プリズムを通して上記載置面に光を照射する光源部
を備えていることを特徴とする個人識別装置。
【発明の詳細な説明】
【技術分野】
【０００１】
この発明は、顔画像データ及び指紋データの少なくともいずれか一方により利用者の識別を行う個人識別装置に関するものである。
【背景技術】
【０００２】
従来の個人識別装置では、指紋センサに指が触れた時点で、照明が点灯されるとともに、カメラにより顔画像が撮影される。そして、処理装置により指紋認識及び顔認識が行われる（例えば、特許文献１参照）。
【０００３】
【特許文献１】特開２００４−６２８４６号公報
【発明の開示】
【発明が解決しようとする課題】
【０００４】
上記のような個人識別装置においては、セキュリティ性を向上させることが望まれている。
【０００５】
この発明は、上記のような課題を解決するためになされたものであり、セキュリティ性を向上させることができる個人識別装置を得ることを目的とする。
【課題を解決するための手段】
【０００６】
この発明に係る個人識別装置は、利用者の顔画像を撮影するための顔画像カメラ、利用者の指紋を読み取るための指紋センサ、及び顔画像カメラ及び指紋センサを制御する制御部を備え、制御部は、顔画像カメラからの情報により利用者の有無を監視し、待機時には指紋センサへの電力の供給を休止するとともに、利用者が検出されると指紋センサに電力を供給する。
【発明の効果】
【０００７】
この発明の個人識別装置は、顔画像カメラにより利用者の有無が監視されるので、セキュリティ性を向上させることができる。また、待機時には、指紋センサへの電力供給が休止されるので、省エネルギー性を向上させることができる。
【発明を実施するための最良の形態】
【０００８】
以下、この発明を実施するための最良の形態について、図面を参照して説明する。
実施の形態１．
図１はこの発明の実施の形態１による個人識別装置を示すブロック図である。図において、個人識別装置は、利用者の顔画像を撮影するための顔画像カメラ１、利用者の指紋を読み取るための指紋センサ２、及び顔画像カメラ１と指紋センサ２とを制御する制御部３を有している。また、制御部３は、顔画像カメラ１からの情報により、利用者の有無を監視する。
【０００９】
さらに、制御部３は、顔画像カメラ１により取得された顔画像データの認証を行う顔画像認証手段４と、指紋センサ２により取得された指紋データの認証を行う指紋認証手段５と、顔画像カメラ１及び指紋センサ２の電源を制御する電源制御手段６とを有している。また、電源制御手段６は、顔画像カメラ１により利用者が検出されたときのみ、指紋センサ２に電力を供給する。即ち、指紋センサ２は、通常は電力の供給が遮断された状態で待機している。
【００１０】
顔画像認証手段４、指紋認証手段５及び電源制御手段６は、機能ブロックであり、これらの機能は、例えばコンピュータにより実現される。即ち、制御部３は、上記のような機能を実現するためのプログラムが格納された記憶部（例えばＲＯＭ）、プログラムに基づいて演算処理を実行する処理部（例えばＣＰＵ）、演算に必要なデータや演算結果を格納するメモリ（例えばＲＡＭ）、及び顔画像カメラ１や指紋センサ２に対する信号の入出力を行う入出力部を有している。
【００１１】
次に、図２は図１の制御部３の指紋センサ電源制御動作を示すフローチャートである。指紋センサ２の電源制御が開始されると、顔画像カメラ１により人物が検出されたかどうかが監視される（ステップＳ１）。人物が検出されるまでは、指紋センサ２は待機状態であり、指紋センサ２への電力供給は休止されている。
【００１２】
この状態から、顔画像カメラ１により人物が検出されると、指紋センサ２の電源がＯＮにされる（ステップＳ２）。そして、指紋センサ２により利用者の指紋データが取得されるとともに、顔画像カメラ１により利用者の顔画像データが取得される。そして、予め登録されたデータとの比較を行うことにより、適正な利用者であるかどうかの照合、即ち認証動作が行われる（ステップＳ３）。
【００１３】
認証動作が終了し、利用者が顔画像カメラ１の前からいなくなると、照合結果に拘わらず、指紋センサ２の電源はＯＦＦにされる（ステップＳ４）。そして、顔画像カメラ１による監視が再開される（ステップＳ１）。
【００１４】
このような個人識別装置では、顔画像カメラ１により利用者が検出されると、制御部３により指紋センサ２に電力が供給されるようになっているので、顔画像カメラ１により利用者の有無を監視することができ、セキュリティ性を向上させることができる。また、実際に認証を行うときにのみ指紋センサ２が動作し、待機時には指紋センサ２の電源がＯＦＦにされているので、省エネルギー性を向上させることができる。
【００１５】
実施の形態２．
次に、図３はこの発明の実施の形態２による個人識別装置を示すブロック図である。図において、制御部３には、顔画像カメラ１から取得した顔画像データを認証動作後も保存する顔画像保存手段７が設けられている。顔画像保存手段７は、顔画像データ及び指紋データの少なくともいずれか一方の認証結果が不適（非登録データ）であると判断された場合、その利用者の顔画像データを予め指定されたメモリ８に保存する。保存先のメモリ８は、制御部３内のものであっても、制御部３の外部のものであってもよい。また、顔画像データの保存の際には、タイムスタンプが付けられる。さらに、顔画像保存手段７は、機能ブロックであり、この機能も制御部３のコンピュータにより実現される。
【００１６】
このような個人識別装置では、顔画像認証手段４及び指紋認証手段５の少なくともいずれか一方による認証結果がＮＧであった場合、その利用者の顔画像データが認証動作後もメモリ８に保存される。セキュリティ管理者は、保存された顔画像データとタイムスタンプとに基づいて、認証結果がＮＧとなった理由が、未登録の不審者による不正アタックであるのか、登録者の操作ミスであるのか判断することができる。そして、前者の場合、不正操作防止の有力な情報を得ることができ、セキュリティ性を向上させることができる。また、後者の場合、利用者に再登録を依頼し、システムのスムーズな運用を図ることができる。
【００１７】
なお、認証結果がＯＫであれば、顔画像カメラ１から取得した顔画像データは、例えば電気錠の制御部等に認証信号を出力した後、又は次の顔画像データ取得時に消去される。
また、実施の形態２では、顔画像認証及び指紋認証の両方を行ったが、顔画像認証のみであっても、顔画像認証に指紋認証以外の認証動作を組み合わせてもよい。
【００１８】
実施の形態３．
次に、図４はこの発明の実施の形態３による個人識別装置を示すブロック図である。図において、制御部３は、電気錠９に接続されている。電気錠９は、この個人識別装置により出入管理を行う出入口のドアに設けられている。電気錠９には、電気錠９の異常（例えば「こじ開け」等）を検出する電気錠異常検出部１０が接続されている。
【００１９】
制御部３には、電気錠９を制御するとともに、電気錠９の異常の有無を監視する電気錠制御手段１１が設けられている。電気錠制御手段１１は、顔画像認証手段４及び指紋認証手段５による認証結果に応じて電気錠９の施錠・解錠を制御する。また、電気錠制御手段１１は、電気錠異常検出部１０からの情報により、対応する電気錠９の異常の有無を監視する。
【００２０】
さらに、電気錠制御手段１１は、電気錠９の異常が検出されると、顔画像カメラ１に撮影を行わせ、その画像データを予め指定されたメモリ８に保存する。保存先のメモリ８は、制御部３内のものであっても、制御部３の外部のものであってもよい。また、画像データの保存の際には、タイムスタンプが付けられる。さらに、電気錠制御手段１１は、機能ブロックであり、この機能も制御部３のコンピュータにより実現される。
【００２１】
このような個人識別装置では、電気錠９の異常が検出されると、顔画像カメラ１により周囲の状況が撮影され、その画像がメモリ８に保存される。セキュリティ管理者は、メモリ８に保存された画像を「こじ開け」等の犯人の特定に有力な情報として利用することができる。これにより、セキュリティ性を向上させることができる。
【００２２】
実施の形態４．
次に、図５はこの発明の実施の形態４による個人識別装置を示すブロック図である。図において、制御部３は、管理装置１２に接続されている。管理装置１２は、個人識別装置の上位装置（外部装置）であり、個人識別装置が設置された建物の管理室（管理センター）等に設置されている。
【００２３】
制御部３には、電気錠９の異常が検出されたときに管理装置１２へ異常検出信号を送信する錠異常発報手段１４と、メモリ８内の画像データを管理装置１２へ送信する画像送信手段１５とが設けられている。顔画像認証手段４には、顔画像カメラ１を制御するカメラ制御手段１３が設けられている。カメラ制御手段１３は、管理装置１２からの撮影指令信号によっても顔画像カメラ１による撮影を行う。錠異常発報手段１４、画像送信手段１５及びカメラ制御手段１３は、機能ブロックであり、これらの機能も制御部３のコンピュータにより実現される。
【００２４】
制御部３は、電気錠９の異常が検出されると、管理装置１２へ異常検出信号を送信し、管理装置１２から撮影指令信号を受けると、顔画像カメラ１に撮影を行わせ、その画像データを管理装置１２へ送信する。他の構成は、実施の形態３と同様である。
【００２５】
このような個人識別装置では、電気錠９の異常が検出されると、錠異常発報手段１４により管理装置１２に異常検出信号が送信される。管理装置１２に異常検出信号が入力されると、管理装置１２により警報等が発せられる。これにより、セキュリティ管理者は、カメラ制御手段１３に撮影指令信号を送信し、顔画像カメラ１による撮影を遠隔から実施させる。顔画像カメラ１により撮影された画像データは、メモリ８に保存されるとともに、画像送信手段１５により管理装置１２に送信され、遠隔でモニタされる。
【００２６】
従って、セキュリティ管理者は、管理装置１２でモニタされた画像を「こじ開け」等の犯人の特定に有力な情報として利用することができる。また、単にメモリ８に保存する場合に比べ、電気錠９に異常が発生した直後に画像データを確認することもでき、セキュリティ性をより一層向上させることができる。
【００２７】
なお、実施の形態３、４では、顔画像認証及び指紋認証の両方を行ったが、顔画像認証のみであっても、顔画像認証に指紋認証以外の認証動作を組み合わせてもよい。
【００２８】
実施の形態５．
次に、図６はこの発明の実施の形態５による個人識別装置の指紋センシング時の状態を示す構成図、図７は図６の個人識別装置の監視カメラモード時の状態を示す構成図である。図において、利用者の指紋を撮影する指紋撮影部（撮像手段）２１の正面には、プリズム２２が配置されている。プリズム２２は、利用者の指が載置される載置面２２ａを有している。プリズム２２の下方には、プリズム２２を通して載置面２２ａに光を照射する光源部２３が配置されている。光源部２３としては、例えばＬＥＤが使用される。
【００２９】
プリズム２２と指紋撮影部２１との間には、レンズ２４と、ピントを調節するためのピント調節手段２５とが配置されている。プリズム２２と光源部２３とは、指紋載置ユニット２６としてユニット化されている。指紋載置ユニット２６は、指紋撮影部２１の正面の指紋センシング位置（図６）と、指紋撮影部２１の正面から外れ下方へ移動した監視カメラモード位置（図７）との間で変位可能になっている。
【００３０】
指紋認証動作時には、指紋載置ユニット２６は指紋センシング位置に配置される。利用者の指が載置面２２ａ上に載せられると、光源部２３から載置面２２ａに光が照射され、指紋撮影部２１により指紋の画像が撮影される。また、指紋認証動作時以外の待機時には、指紋載置ユニット２６は監視カメラモード位置へスライド変位されている。この状態では、個人識別装置の周囲の状況、即ちレンズ２４の正面の状況が指紋撮影部２１により撮影される。指紋センシング時と監視カメラモード時とでは、ピント調節手段２５によりピントが切り換えられる。
【００３１】
このような個人識別装置では、指紋認証を行うとき以外のときに、指紋撮影部２１を監視カメラとして利用することができ、セキュリティ性を向上させることができる。
【００３２】
なお、実施の形態５では、監視カメラモード位置を指紋センシング位置の下方としたが、上方や左右方向であってもよい。
また、実施の形態５では、プリズム２２と光源部２３とを変位可能としたが、光源部の光量を十分に確保できれば、光源部とプリズムとの間にある程度の間隔を確保し、プリズムのみを変位させるようにしてもよい。
【図面の簡単な説明】
【００３３】
【図１】この発明の実施の形態１による個人識別装置を示すブロック図である。
【図２】図１の制御部の指紋センサ電源制御動作を示すフローチャートである。
【図３】この発明の実施の形態２による個人識別装置を示すブロック図である。
【図４】この発明の実施の形態３による個人識別装置を示すブロック図である。
【図５】この発明の実施の形態４による個人識別装置を示すブロック図である。
【図６】この発明の実施の形態５による個人識別装置の指紋センシング時の状態を示す構成図である。
【図７】図６の個人識別装置の監視カメラモード時の状態を示す構成図である。
【符号の説明】
【００３４】
１  顔画像カメラ、２  指紋センサ、３  制御部、９  電気錠、２１  指紋撮影部、２２  プリズム、２３  光源部。
【図１】
2006192011.tif 000003
【図２】
2006192011.tif 000004
【図３】
2006192011.tif 000005
【図４】
2006192011.tif 000006
【図５】
2006192011.tif 000007
【図６】
2006192011.tif 000008
【図７】
2006192011.tif 000009